(57)【特許請求の範囲】
【請求項１】
記録媒体に画像を形成するための画像形成手段と、
視野角を制限した第１視野角範囲からのみ視認することが可能なように第１画像を表示するとともに、前記第１視野角範囲とは別の第２視野角範囲からのみ視認することが可能なように第２画像を表示する表示手段と、
機密情報の入力時または個人情報の表示時を含む第１の期間に第１表示モードに切り換え、前記第１の期間以外では第２表示モードに切り換える切換手段と、
前記第１表示モードにおいて前記第２画像として前記第１画像と異なる画像を前記表示手段に表示させ、第２表示モードにおいて前記第２画像として前記第１画像と同じ画像を前記表示手段に表示させる表示制御手段とを備えた、画像形成装置。
【請求項２】
前記第１視野角範囲は、前記表示手段の表示面の法線から所定の角度の範囲に構成される、請求項１に記載の画像形成装置。
【請求項３】
前記表示制御手段は、前記機密情報の入力時、パスワードを入力するための画面を前記第１画像として前記表示手段に表示させる、請求項１に記載の画像形成装置。
【請求項４】
前記表示制御手段は、前記個人情報の表示時、操作主体に関連するファイルに関する情報を表示する画面を前記第１画像として前記表示手段に表示させる、請求項１に記載の画像形成装置。
【請求項５】
前記表示制御手段は、前記第１表示モードにおいて、画像を含まない画面を前記第２画像として前記表示手段に表示させる、請求項１〜４のいずれかに記載の画像形成装置。
【発明の詳細な説明】
【技術分野】
【０００１】
本発明は、画像形成装置に関し、特に複数の画面を同時に表示する表示装置を備えた画像形成装置に関する。
【背景技術】
【０００２】
従来、ＭＦＰ（Ｍｕｌｔｉ  Ｆｕｎｃｔｉｏｎ  Ｐｅｒｉｆｅｒａｌ）で代表される画像形成装置は、ユーザとのインターフェースとして液晶表示装置（ＬＣＤ）が用いられている。ＭＦＰのＬＣＤには、限られた表示領域で多くの情報が表示される。一方、特開２００５−７１２８６号公報（特許文献１）には、パララックスバリア（光学系分離素子）の透光性スリットを調整することにより、ＬＣＤの表示面に対する２方向にそれぞれ異なる画像を出力する技術が記載されている。この特開２００５−７１２８６号公報に記載のＬＣＤをＭＦＰに搭載することで、２方向にそれぞれ２つの画像を同時に表示することができるので、多くの情報を一度に表示することができ、便利である。
【０００３】
ＭＦＰを操作するユーザは、ＬＣＤの正面から操作するだけでなく、ＭＦＰに接続された排紙装置に移動したり、用紙を供給するためにまたは紙詰まりした紙を除去するためにかがんで作業したりする。このため、ＬＣＤの視野角はできるだけ広いことが望ましい。
【０００４】
しかしながら、機密性の高い情報がＬＣＤに表示される場合、または、パスワードなどの機密性の高い情報を入力する際には、ＬＣＤの視野角が広いと、周囲にいる他人にＬＣＤに表示された機密性の高い情報を見られてしまうといった問題があった。
【特許文献１】特開２００５−７１２８６号公報
【発明の開示】
【発明が解決しようとする課題】
【０００５】
この発明は上述した問題点を解決するためになされたもので、この発明の目的の１つは、機密情報または個人情報が操作主体以外の人に知られるのを防止した画像形成装置を提供することである。
【課題を解決するための手段】
【０００６】
上述した目的を達成するためにこの発明のある局面によれば、画像形成装置は、記録媒体に画像を形成するための画像形成手段と、視野角を制限した第１視野角範囲からのみ視認することが可能なように第１画像を表示するとともに、第１視野角範囲とは別の第２視野角範囲からのみ視認することが可能なように第２画像を表示する表示手段と、機密情報の入力時または個人情報の表示時を含む第１の期間に第１表示モードに切り換え、第１の期間以外では第２表示モードに切り換える切換手段と、第１表示モードにおいて第２画像として第１画像と異なる画像を表示手段に表示させ、第２表示モードにおいて第２画像として第１画像と同じ画像を表示手段に表示させる表示制御手段とを備える。
【０００７】
この局面に従えば、機密情報の入力時または個人情報の表示時に第２画像として第１画像と異なる画像が表示され、それら以外の時は第２画像として第１画像と同じ画像が表示される。このため、入力される機密情報または表示される個人情報が、制限された視野角のみから視認されるので、操作主体以外のユーザに機密情報または個人情報が視認されないようにできる。このため、機密情報または個人情報が操作主体以外の人に知られるのを防止した画像形成装置を提供することができる。
【０００８】
好ましくは、第１視野角範囲は、表示手段の表示面の法線から所定の角度の範囲に構成される。
【０００９】
好ましくは、表示制御手段は、機密情報の入力時、パスワードを入力するための画面を第１画像として表示手段に表示させる。
【００１０】
好ましくは、表示制御手段は、個人情報の表示時、操作主体に関連するファイルに関する情報を表示する画面を第１画像として表示手段に表示させる。
【００１１】
好ましくは、表示制御手段は、第１表示モードにおいて、画像を含まない画面を第２画像として表示手段に表示させる。
【発明を実施するための最良の形態】
【００１２】
以下、本発明の実施の形態について図面を参照して説明する。以下の説明では同一の部品には同一の符号を付してある。それらの名称および機能も同じである。したがってそれらについての詳細な説明は繰返さない。
【００１３】
図１は、ＭＦＰの外観を示す斜視図である。図２は、ＭＦＰの内部構成を示す断面図である。図１および図２を参照して、ＭＦＰ１は、自動原稿搬送装置（ＡＤＦ）１０と、原稿読取部２０と、画像形成部３０と、給紙部５０と、ユーザインターフェースとして用いられる操作パネル８０と、ＭＦＰ１の全体を制御するためのメイン回路１００とを含む。
【００１４】
ＡＤＦ１０は、原稿給紙トレイ１１上にセットされた複数枚の原稿を１枚ずつ自動的に原稿読取部２０のプラテンガラス上に設定された所定の原稿読み取り位置まで搬送し、原稿読取部２０により原稿画像が読み取られた原稿を原稿排紙トレイ１２上に排出する。原稿読取部２０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である読取データに変換して、画像形成部３０に出力する。
【００１５】
画像形成部３０は、周知の電子写真方式により画像を形成するものであって、感光体ドラム３１ａ，３１ｂ，３１ｃ，３１ｄと、露光ユニット３２ａ，３２ｂ，３２ｃ，３２ｄと、現像ユニット３３ａ，３３ｂ，３３ｃ，３３ｄと、転写ベルト３５と、を備える。露光ユニット３２ａ，３２ｂ，３２ｃ，３２ｄは、原稿読取部２０から入力される読取データにシェーディング補正などの各種のデータ処理を施し、データ処理後のデータを主走査ラインごとにレーザダイオードを駆動するための駆動信号に変換し、感光体ドラム３１ａ，３１ｂ，３１ｃ，３１ｄ上にレーザ光をそれぞれ走査する。これにより、感光体ドラム３１ａ，３１ｂ，３１ｃ，３１ｄそれぞれに静電潜像が形成される。現像ユニット３３ａ，３３ｂ，３３ｃ，３３ｄはイエロー、マゼンタ、シアン、黒の４色にそれぞれ対応しており、各色のトナーを収納するトナーカートリッジが装着されている。現像ユニット３３ａ，３３ｂ，３３ｃ，３３ｄは、感光体ドラム３１ａ，３１ｂ，３１ｃ，３１ｄ上に形成された静電潜像にそれぞれトナーを載せ、トナー像を形成する。感光体ドラム３１ａ，３１ｂ，３１ｃ，３１ｄそれぞれ上に形成されたトナー像は、転写ベルト３５上に、転写チャージャにより転写される。転写ベルト３５は、各色に対応する感光体ドラム３１ａ，３１ｂ，３１ｃ，３１ｄ上のトナー像を全て重ね合わせて、給紙部５０から搬送されてくる用紙に転写する。
【００１６】
給紙部５０は、用紙を収納しておくための給紙トレイ５１，５３，５５と、この用紙を繰り出すためのピックアップローラ５２，５４，５６とを備え、画像形成部３０に用紙を搬送する。自動両面ユニット４０は、片面が印刷された用紙を裏表反転させるために、通紙経路上で一旦スイッチバックさせ、再度給紙することによって、画像形成部３０により用紙の両面に画像を形成する両面印刷を可能にする。
【００１７】
図３は、メイン回路の構成の一例を示すブロック図である。図３を参照して、メイン回路１００は、ＣＰＵ１０１と、通信インターフェース（Ｉ／Ｆ）部１０２と、ＲＯＭ（Ｒｅａｄ  Ｏｎｌｙ  Ｍｅｍｏｒｙ）１０３と、ＲＡＭ（Ｒａｎｄｏｍ  Ａｃｃｅｓｓ  Ｍｅｍｏｒｙ）１０４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１０５と、大容量記憶装置としてのハードディスクドライブ（ＨＤＤ）１０６と、ファクシミリ部１０７とを含む。ＣＰＵ１０１は、自動原稿搬送装置１０、原稿読取部２０、画像形成部３０、自動両面ユニット４０、給紙部５０および操作パネル８０と接続され、ＭＦＰ１の全体を制御する。
【００１８】
ＲＯＭ１０３は、ＣＰＵ１０１が実行するプログラム、またはそのプログラムを実行するために必要なデータを記憶する。ＲＡＭ１０４は、ＣＰＵ１０１がプログラムを実行する際の作業領域として用いられる。また、ＲＡＭ１０４は、原稿読取部２０から連続的に送られてくる読取データ（画像データ）を一時的に記憶する。
【００１９】
操作パネル８０は、表示部８０Ａと操作部８０Ｂとを含む。操作パネルについては後述するが、表示部８０Ａは、液晶表示装置（ＬＣＤ）、有機ＥＬＤ（Ｅｌｅｃｔｒｏ  Ｌｕｍｉｎｅｓｃｅｎｃｅ  Ｄｉｓｐｌａｙ）等の表示装置であり、ユーザに対する指示メニューや取得した画像データに関する情報等を表示する。操作部８０Ｂは、複数のキーを備え、キーに対応するユーザの操作による各種の指示、文字、数字などのデータの入力を受付ける。操作部８０Ｂは、表示部８０Ａ上に設けられたタッチパネルをさらに含む。
【００２０】
通信Ｉ／Ｆ部１０２は、パーソナルコンピュータ等が接続された外部ネットワークに接続するためのインターフェースである。パーソナルコンピュータから送信されるプリントデータは、通信Ｉ／Ｆ部１０２で受信され、ＣＰＵ１０１で受け付けられる。
【００２１】
ファクシミリ部１０７は、公衆交換電話網（ＰＳＴＮ）に接続され、ＰＳＴＮにファクシミリデータを送信する、またはＰＳＴＮからファクシミリデータを受信する。ファクシミリ部１０７は、受信したファクシミリデータを、ＨＤＤ１０６に記憶する、または画像形成部３０に出力する。画像形成部３０は、ファクシミリ部１０７により受信されたファクシミリデータを用紙にプリントする。また、ファクシミリ部１０７は、ＨＤＤ１０６に記憶されたデータをファクシミリデータに変換して、ＰＳＴＮに接続されたファクシミリに送信する。
【００２２】
本実施の形態におけるＭＦＰ１は、複写機として機能するコピーモード、ファクシミリとして機能するファクシミリモード、ＨＤＤ１０６にデータを書き込みまたはデータを読み出しするＢＯＸ操作モード、ＭＦＰ１の点検等する際の特別な動作をするサービスモードとのいずれかに動作モードを切り換える。ＭＦＰ１は、ユーザによる動作モードを切り換える指示が操作パネル８０に入力されると、動作モードを指示されたモードに切り換える。
【００２３】
図４は、操作パネルの平面図である。図４を参照して、操作パネル８０は、表示部８０ＡとしてのＬＣＤ８１と、操作部８０Ｂとしてのテンキー８２、クリアキー８３Ａ、パネルリセットキー８３Ｂ、ストップキー８３Ｃ、スタートキー８４、コピーキー８６Ａ、ＦＡＸキー８６Ｂ、ＢＯＸキー８６Ｃ、サービスキー８６ＤおよびＬＣＤ上に重畳されたタッチパネル８５とを含む。テンキー８２は、複写枚数などの置数、複写倍率、ファクシミリ送信先の電話番号等の入力に用いられる。クリアキー８３Ａは、置数などを予め定められた既定値に戻す指示を入力するために用いられる。パネルリセットキー８３Ｂは、ＭＦＰ１内部に設定された設定値を既定値に戻す指示を入力するために用いられる。ストップキー８３Ｃは、ＭＦＰ１が実行している動作を中止させる指示を入力するために用いられる。スタートキー８４は、ＭＦＰ１に指示した動作の開始を指示するために用いられる。コピーキー８６Ａは、ＭＦＰ１をコピーモードに切り換える指示を入力するためのボタンスイッチである。ＦＡＸキー８６Ｂは、ＭＦＰ１をファクシミリモードに切り換える指示を入力するためのボタンスイッチである。ＢＯＸキー８６Ｃは、ＭＦＰ１をＢＯＸ操作モードに切り換える指示を入力するためのボタンスイッチである。サービスキー８６Ｄは、ＭＦＰ１をサービスモードに切り換える指示を入力するためのボタンスイッチである。
【００２４】
タッチパネル８５は、透明な部材からなり、ＬＣＤ８１上に重畳されて設けられる。このため、ＬＣＤ８１にキーを表示させ、ユーザがそのキーを指示すれば、タッチパネル８５がその指示を受け付ける。
【００２５】
ＬＣＤ８１は、特開２００５−７１２８６号公報に記載されているように、パララックスバリア（光学系分離素子）の透光性スリットを調整することにより、ＬＣＤ８１の表示面に対する２方向にそれぞれ異なる画像を出力することができる。パララックスバリアは、不透明領域によって隔たれた垂直または水平な透光性スリットを複数有するスクリーンであり、ＬＣＤ８１のある画像を透過した光がその画素に対応する透光性スリットを介して第１の方向に出力され、別の画素を透過した光はその画素に対応する透光性スリットを介して第２の方向に出力される。換言すれば、ＬＣＤ８１は、視野角を制限した第１視野角範囲からのみ視認することが可能なように第１画像を表示するとともに、第１視野角範囲とは別の第２視野角範囲からのみ視認することが可能なように第２画像を表示する。
【００２６】
図５は、ユーザとＭＦＰとの位置とユーザの視線との関係を示す図である。図５を参照して、ユーザがＭＦＰ１の近くに立つ場合の視線Ａと、少し後退してＭＦＰ１の正面から離れて立つ場合の視線Ｂとで、操作パネル８０に対する角度が異なる。操作パネル８０は、ＭＦＰ１の上面にＬＣＤ８１の表示面を上方に向けた姿勢に固定される。視線Ａは、視線Ｂに比較して、ＬＣＤ８１の表示面の法線となす角が小さい。以下、ＬＣＤ８１に表示される画像のうち、ユーザが視線Ａで視認可能な画像を第１画面といい、視線Ｂで視認可能な画像を第２画面という。
【００２７】
図６は、コピーモード処理の流れの一例を示すフローチャートである。このコピーモード処理は、ＣＰＵ１０１がＲＯＭ１０３に記憶されたコピーモード処理プログラムを実行することにより、ＣＰＵ１０１により実行される処理である。図６を参照して、ＣＰＵ１０１は、コピーキー８６ＡがＯＮとなったか否かを判断する（ステップＳ１０１）。コピーキー８６ＡがＯＮとなれば処理をステップＳ１０２に進め、そうでなければ処理をステップＳ１０４に進める。
【００２８】
ステップＳ１０２において、パスワードの入力を受け付けるためのパスワード入力画面を第１画面としてＬＣＤ８１に表示する。図７にパスワード入力画面の一例を示す。図７を参照して、パスワード入力画面は、パスワードを入力するためのテンキーを含む。このため、パスワード入力画面が他人に見えると、ユーザがパスワードを入力する際にパスワードが盗み見られてしまう。
【００２９】
図６に戻って、ステップＳ１０３においては、第２画面に何も表示しない。換言すれば、第２画面にパスワード入力画面を表示しない。第２画面には、画像を表示しないようにしてもよいし、文字を含まない無地の画像を表示するようにしてもよいし、パスワード入力画面とは異なる情報を含む画像を表示するようにしてもよい。第２画面にパスワード入力画面を表示しないので、ＭＦＰ１の周囲にいる人がパスワード入力画面を視認できず、パスワードが盗み見られることがなくなる。さらに、ユーザが何の操作をしているのかを知られることがない。
【００３０】
次のステップＳ１０４においては、第１画面にパスワード入力画面が表示されているか否かを判断する。パスワード入力画面が表示されていれば処理をステップＳ１０５に進め、そうでなければ処理を終了する。ステップＳ１０５においては、パスワードが入力されたか否かを判断し、パスワードが入力されたならば処理をステップＳ１０６に進め、パスワードが入力されなければ処理を終了する。ステップＳ１０６においては、入力されたパスワードが、予め登録された登録ＩＤに一致するか否かを判断する。パスワードが登録ＩＤに一致すれば処理をステップＳ１０７に進め、一致しなければ処理を終了する。
【００３１】
ステップＳ１０７においては、コピー待機画面を第１画面としてＬＣＤ８１に表示する。図８にコピー待機画面の一例を示す。次のステップＳ１０８においては、コピー待機画面を第２画面としてＬＣＤ８１に表示する。第１画面と第２画面とで、同じコピー待機画面が表示されるので、広い視野角でコピー待機画面が表示される。その後のコピー条件の入力画面に画面が遷移しても、第１画面と第２画面とに同じ画面が表示される。その結果、用紙切れ、紙詰まり、トナー切れ等のエラー、消耗品の寿命などのトラブルが発生した場合であっても、広い視野角でエラーメッセージや作業内容の説明などが表示されるので、作業の利便性を高くすることができる。
【００３２】
図９は、ＦＡＸモード処理の流れの一例を示すフローチャートである。このＦＡＸモード処理は、ＣＰＵ１０１がＲＯＭ１０３に記憶されたＦＡＸモード処理プログラムを実行することにより、ＣＰＵ１０１により実行される処理である。図９を参照して、ＣＰＵ１０１は、ＦＡＸキー８６ＢがＯＮとなったか否かを判断する（ステップＳ１１１）。ＦＡＸキー８６ＢがＯＮとなれば処理をステップＳ１１２に進め、そうでなければ処理をステップＳ１１４に進める。
【００３３】
ステップＳ１１２において、ＦＡＸ待機画面を第１画面としてＬＣＤ８１に表示する。図１０にＦＡＸ待機画面の一例を示す。図１０を参照して、ＦＡＸ待機画面は、ファクシミリ番号を表示する領域と、ＪＯＢ確認の文字が表されたＪＯＢ確認キーとを含む。ジョブ確認キーは、後述する確認画面に表示する画面を遷移させるための遷移キーである。図９に戻って、ステップＳ１１３においては、ＦＡＸ待機画面を第２画面としてＬＣＤ８１に表示する。第１画面と第２画面とで、同じＦＡＸ待機画面が表示されるので、ユーザは第１視野角と第２視野角のいずれからでもＦＡＸ待機画面を視認することができる。このため、ＦＡＸ待機画面を視認可能な視野角が広いので、例えば、電話帳などを見ながらファクシミリ番号を入力する等する際の操作が容易となる。
【００３４】
次のステップＳ１１４においては、第１画面にＦＡＸ待機画面が表示されているか否かを判断する。ＦＡＸ待機画面が表示されていれば処理をステップＳ１１５に進め、そうでなければ処理を終了する。ステップＳ１１５においては、ＦＡＸ待機画面のＪＯＢ確認キーが指示されてＯＮとなったか否かを判断する。ＪＯＢ確認キーがＯＮとなれば処理をステップＳ１１６に進め、そうでなければ処理をステップＳ１１８に進める。ステップＳ１１６においては、確認画面を第１画面としてＬＣＤ８１に表示し、次のステップＳ１１７において、確認画面を第２画面としてＬＣＤ８１に表示する。第１画面と第２画面とで、同じ確認画面が表示されるので、ユーザは広い視野角でＦＡＸ待機画面を視認することができる。図１１に確認画面の一例を示す。図１１を参照して、確認画面は、確認モードを選択する３つのキーを含む。３つのキーは、ここでは、送信履歴を表示するための送信履歴画面に画面を遷移させるためのキー、受信履歴を表示するための受信履歴画面に画面を遷移させるためのキー、親展受信したファイルを表示するための親展受信画面に画面を遷移させるためのキーとを含む。
【００３５】
図９に戻って、ステップＳ１１８においては、親展受信キーがＯＮとなったか否かを判断する。親展受信キーがＯＮであれば処理をステップＳ１１９に進め、そうでなければ処理をステップＳ１２１に進める。ステップＳ１１９においては、親展受信用パスワード入力画面を第１画面としてＬＣＤ８１に表示する。図１２に親展受信用パスワード入力画面の一例を示す。親展受信用パスワード入力画面は、図７に示したパスワード入力画面と同様に、パスワードを入力するためのテンキーを含む。このため、親展受信用パスワード入力画面が他人に見えると、ユーザがパスワードを入力する際にパスワードが盗み見られてしまう。
【００３６】
図９に戻って、ステップＳ１２０においては、第２画面に何も表示しない。換言すれば、第２画面に親展受信用パスワード入力画面を表示しない。第２画面には、画像を表示しないようにしてもよいし、文字を含まない無地の画像を表示するようにしてもよいし、親展受信用パスワード入力画面とは異なる情報を含む画像を表示するようにしてもよい。第２画面に親展受信用パスワード入力画面を表示しないので、ＭＦＰ１の周囲にいる人が親展受信用パスワード入力画面を視認できず、親展受信用パスワードが盗み見られることがなくなる。さらに、ユーザが何の操作をしているのかを知られることがない。
【００３７】
ステップＳ１２１においては、親展受信用パスワード入力画面が表示されているか否かを判断する。親展受信用パスワード入力画面が表示されていれば処理をステップＳ１２２に進め、そうでなければ処理を終了する。ステップＳ１２２においては、パスワードが入力されたか否かを判断し、パスワードが入力されたならば処理をステップＳ１２３に進め、パスワードが入力されなければ処理を終了する。ステップＳ１２３においては、入力されたパスワードが、親展受信されたファクシミリデータに予め登録された登録ＩＤに一致するか否かを判断する。パスワードが登録ＩＤに一致すれば処理をステップＳ１２４に進め、一致しなければ処理を終了する。ステップＳ１２４においては、親展受信されたファクシミリデータをプリントする。
【００３８】
図１３は、ＢＯＸモード処理の流れの一例を示すフローチャートである。このＢＯＸモード処理は、ＣＰＵ１０１がＲＯＭ１０３に記憶されたＢＯＸモード処理プログラムを実行することにより、ＣＰＵ１０１により実行される処理である。図１３を参照して、ＣＰＵ１０１は、ＢＯＸキー８６ＣがＯＮとなったか否かを判断する（ステップＳ１３１）。ＢＯＸキー８６ＣがＯＮとなれば処理をステップＳ１３２に進め、そうでなければ処理をステップＳ１３４に進める。
【００３９】
ステップＳ１３２において、ＢＯＸ選択画面を第１画面としてＬＣＤ８１に表示する。図１４にＢＯＸ選択画面の一例を示す。図１４を参照して、ＢＯＸ選択画面は、ＢＯＸ１、ＢＯＸ２、ＢＯＸ３それぞれを選択するためのＢＯＸ選択キーを含む。図１３に戻って、ステップＳ１３３においては、ＢＯＸ選択画面を第２画面としてＬＣＤ８１に表示する。第１画面と第２画面とで、同じＢＯＸ選択画面が表示されるので、ユーザは第１視野角と第２視野角のいずれからでもＢＯＸ選択画面を視認することができる。
【００４０】
次のステップＳ１３４においては、第１画面にＢＯＸ選択画面が表示されているか否かを判断する。ＢＯＸ選択画面が表示されていれば処理をステップＳ１３５に進め、そうでなければ処理を終了する。ステップＳ１３５においては、ＢＯＸ選択画面の３つのＢＯＸ選択キーのいずれかが指示されてＯＮとなったか否かを判断する。３つのＢＯＸ選択キーのいずれかがＯＮとなれば、対応するＢＯＸを選択して処理をステップＳ１３６に進め、そうでなければ処理を終了する。ステップＳ１３６においては、ファイル保存モードに設定されたか否かを判断する。ファイル保存モードに設定されたならば処理をステップＳ１３７に進め、そうでなければ処理をステップＳ１３９に進める。ステップＳ１３７においては、ドキュメント名入力画面を第１画面としてＬＣＤ８１に表示する。図１５にドキュメント名入力画面の一例を示す。図１５を参照して、ドキュメント名入力画面は、ドキュメント名を表示する領域と、キーボードとを含む。ドキュメント名は、ユーザが作成、受信等したファイルに付された名称であり、ユーザの個人情報である。このため、ドキュメント名入力画面が他人に見えると、ユーザがドキュメント名を入力する際に他人にドキュメント名が盗み見られてしまう。
【００４１】
図１３に戻って、ステップＳ１３８においては、第２画面に何も表示することなく、処理をステップＳ１３９に進める。換言すれば、第２画面にドキュメント名入力画面を表示しない。第２画面には、画像を表示しないようにしてもよいし、文字を含まない無地の画像を表示するようにしてもよいし、ドキュメント名入力画面とは異なる情報を含む画像を表示するようにしてもよい。第２画面にドキュメント名入力画面を表示しないので、ＭＦＰ１の周囲にいる人がドキュメント名入力画面を視認できず、ドキュメント名が盗み見られることがなくなる。さらに、ユーザが何の操作をしているのかを知られることがない。
【００４２】
次のステップＳ１３９においては、ファイル呼出モードに設定されたか否かを判断する。ファイル呼出モードに設定されたならば処理をステップＳ１４０に進め、そうでなければ処理をステップＳ１４２に進める。ステップＳ１４０においては、ドキュメント選択画面を第１画面としてＬＣＤ８１に表示する。図１６にドキュメント選択画面の一例を示す。図１６を参照して、ドキュメント選択画面は、ステップＳ１３４において選択されたＢＯＸに記憶されているドキュメントの名称を一覧表示する領域を含む。ドキュメント名は、ユーザが作成したファイルまたはファイル転送などで受信等したファイルに付された名称であり、ユーザの個人情報である。このため、ドキュメント選択画面が他人に見えると、それに含まれるドキュメント名が盗み見られてしまう。
【００４３】
図１３に戻って、ステップＳ１４１においては、第２画面に何も表示することなく、処理をステップＳ１４２に進める。換言すれば、第２画面にドキュメント選択画面を表示しない。第２画面には、画像を表示しないようにしてもよいし、文字を含まない無地の画像を表示するようにしてもよいし、ドキュメント選択画面とは異なる情報を含む画像を表示するようにしてもよい。第２画面にドキュメント選択画面を表示しないので、ＭＦＰ１の周囲にいる人がドキュメント名入力画面を視認できず、ドキュメント名が盗み見られることがなくなる。さらに、ユーザが何の操作をしているのかを知られることがない。
【００４４】
ステップＳ１４２においては、ボックスファイル処理を実行する。ボックスファイル処理は、ステップＳ１３６においてファイル保存モードが設定され、ステップＳ１３７においてドキュメント名が入力された場合には、原稿読取部２０が原稿を読み取って出力する画像データを入力されたドキュメント名でステップＳ１３４において選択されたＢＯＸに格納する。また、ボックスファイル処理は、ステップＳ１３９においてファイル呼出モードが設定された場合には、ステップＳ１４０において選択されたドキュメント名のファイルを、ステップＳ１３４において選択されたＢＯＸから読み出す。
【００４５】
図１７は、サービスモード処理の流れの一例を示すフローチャートである。このサービスモード処理は、ＣＰＵ１０１がＲＯＭ１０３に記憶されたサービスモード処理プログラムを実行することにより、ＣＰＵ１０１により実行される処理である。図１７を参照して、ＣＰＵ１０１は、サービスキー８６ＤがＯＮとなったか否かを判断する（ステップＳ１５１）。サービスキーがＯＮであれば処理をステップＳ１５２に進め、そうでなければ処理をステップＳ１５４に進める。ステップＳ１５２においては、サービスパスワード入力画面を第１画面としてＬＣＤ８１に表示する。図１８にサービスパスワード入力画面の一例を示す。サービスパスワード入力画面は、図７に示したパスワード入力画面と同様に、パスワードを入力するためのテンキーを含む。このため、サービスパスワード入力画面が他人に見えると、ユーザがパスワードを入力する際にパスワードが盗み見られてしまう。
【００４６】
図１７に戻って、ステップＳ１５３においては、第２画面に何も表示しない。換言すれば、第２画面にサービスパスワード入力画面を表示しない。第２画面には、画像を表示しないようにしてもよいし、文字を含まない無地の画像を表示するようにしてもよいし、サービスパスワード入力画面とは異なる情報を含む画像を表示するようにしてもよい。第２画面にサービスパスワード入力画面を表示しないので、ＭＦＰ１の周囲にいる人がサービスパスワード入力画面を視認できず、サービスパスワードが盗み見られることがなくなる。さらに、ユーザが何の操作をしているのかを知られることがない。
【００４７】
ステップＳ１５４においては、第１画面にサービスパスワード入力画面が表示されているか否かを判断する。サービスパスワード入力画面が表示されていれば処理をステップＳ１５５に進め、そうでなければ処理を終了する。ステップＳ１５５においては、パスワードが入力されたか否かを判断し、パスワードが入力されたならば処理をステップＳ１５６に進め、パスワードが入力されなければ処理を終了する。ステップＳ１５６においては、入力されたパスワードが、サービスパスワードとして予め登録された登録ＩＤに一致するか否かを判断する。パスワードが登録ＩＤに一致すれば処理をステップＳ１５７に進め、一致しなければ処理を終了する。ステップＳ１５７においては、ＭＦＰをサービスモードに切り換え、サービスモードにおいて予め定められたサービスモード処理を実行する。
【００４８】
以上説明したように本実施の形態におけるＭＦＰ１は、パスワードの入力時またはユーザに関連するドキュメント名の表示時に第２画像が第１画像と異なる画像として表示され、それら以外の時は第２画像が第１画像と同じ画像として表示される。このため、入力されるパスワードなどの機密情報またはドキュメント名などの個人情報を視認できる視野角が制限されるので、操作主体以外の者に機密情報または個人情報が視認されないようにすることができる。
【００４９】
また、第１画面を表示できる視野角範囲は、ＬＣＤ８１の表示面の法線から所定の角度の範囲とされるので、ＭＦＰ１の正面に位置するユーザのみが第１画面を視認できる。
【００５０】
また、第２画面として表示される画像が第１画面として表示される画像と異なる画像とされる場合、第２画面として表示される画像は画像を含まない。このため、機密情報が他人に盗み見られることがない。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】ＭＦＰの外観を示す斜視図である。
【図２】ＭＦＰの内部構成を示す断面図である。
【図３】メイン回路の構成の一例を示すブロック図である。
【図４】操作パネルの平面図である。
【図５】ユーザとＭＦＰとの位置とユーザの視線との関係を示す図である。
【図６】コピーモード処理の流れの一例を示すフローチャートである。
【図７】パスワード入力画面の一例を示す図である。
【図８】コピー待機画面の一例を示す図である。
【図９】ＦＡＸモード処理の流れの一例を示すフローチャートである。
【図１０】ＦＡＸ待機画面の一例を示す図である。
【図１１】確認画面の一例を示す図である。
【図１２】親展受信用パスワード入力画面の一例を示す図である。
【図１３】ＢＯＸモード処理の流れの一例を示すフローチャートである。
【図１４】ＢＯＸ選択画面の一例を示す図である。
【図１５】ドキュメント名入力画面の一例を示す図である。
【図１６】ドキュメント選択画面の一例を示す図である。
【図１７】サービスモード処理の流れの一例を示すフローチャートである。
【図１８】サービスパスワード入力画面の一例を示す図である。
【符号の説明】
【００５３】
１  ＭＦＰ、１０  自動原稿搬送装置、１１  原稿給紙トレイ、１２  原稿排紙トレイ、２０  原稿読取部、３０  画像形成部、３１ａ，３１ｂ，３１ｃ，３１ｄ  感光体ドラム、３２ａ，３２ｂ，３２ｃ，３２ｄ  露光ユニット、３３ａ，３３ｂ，３３ｃ，３３ｄ  現像ユニット、３５  転写ベルト、４０  自動両面ユニット、５０  給紙部、５１，５３，５５  給紙トレイ、５２，５４，５６  ピックアップローラ、８０  操作パネル、８０Ａ  表示部、８０Ｂ  操作部、８２  テンキー、８３Ａ  クリアキー、８３Ｂ  パネルリセットキー、８３Ｃ  ストップキー、８４  スタートキー、８５  タッチパネル、８６Ａ  コピーキー、８６Ｂ  ＦＡＸキー、８６Ｃ  ＢＯＸキー、８６Ｄ  サービスキー、１００  メイン回路、１０１  ＣＰＵ、１０２  通信Ｉ／Ｆ部、１０３  ＲＯＭ、１０４  ＲＡＭ、１０５  ＥＥＰＲＯＭ、１０６  ＨＤＤ、１０７  ファクシミリ部。
【図１】
0004821439.tif 000002
【図２】
0004821439.tif 000003
【図３】
0004821439.tif 000004
【図４】
0004821439.tif 000005
【図５】
0004821439.tif 000006
【図６】
0004821439.tif 000007
【図７】
0004821439.tif 000008
【図８】
0004821439.tif 000009
【図９】
0004821439.tif 000010
【図１０】
0004821439.tif 000011
【図１１】
0004821439.tif 000012
【図１２】
0004821439.tif 000013
【図１３】
0004821439.tif 000014
【図１４】
0004821439.tif 000015
【図１５】
0004821439.tif 000016
【図１６】
0004821439.tif 000017
【図１７】
0004821439.tif 000018
【図１８】
0004821439.tif 000019